(57)【要約】【課題】  収納具や置き台、机等を別途用意しなくても、小物や記録媒体紙の収納場所や置き場所を確保することができ、しかも、収納場所や置き場所が不要な場合は、収納場所や置き場所となる部位が邪魔になることを防止できるＯＡ機器を提供する。【解決手段】  ＯＡ機器１では、小物等や裏面利用紙を収納あるいは置く場所が必要なときは、ストッカー３を筐体本体１０から引き出せば、このストッカー３の筐体本体１０から引き出された部分が小物や裏面利用紙の収納場所や置き場所となる。また、小物等や裏面利用紙を収納あるいは置く場所が不要なときは、ストッカー３を筐体本体１０内に収納すれば、ストッカー３が筐体本体１０からから突出して邪魔になることはない。【選択図】図１
2009048215.tif 000002
【特許請求の範囲】
【請求項１】
一つの筐体に、下方から上方に向かって順に、給紙部、排紙部、スキャナ部が設けられ、かつ、前記スキャナ部で記録媒体紙から読み込んだ情報を前記給紙部から給紙された記録媒体紙に記録し、この情報が記録された記録媒体紙を前記排紙部に排紙するコピー機能を少なくとも有するＯＡ機器において、
前記筐体に対し前記排紙部と前記スキャナ部との間に設置されるとともに、前記筐体から引き出し可能に設置され、前記筐体から引き出されたときに、この引き出された部分に小物や記録媒体紙を載置あるいは収納可能なストッカーを備えることを特徴とするＯＡ機器。
【請求項２】
請求項１に記載のＯＡ機器において、
手差しにより前記記録媒体紙を給紙可能な手差し給紙部を備えていることを特徴とするＯＡ機器。
【請求項３】
請求項１，２のいずれかに記載のＯＡ機器において、
前記ストッカーは、
前記筐体に設定された正面側から見たときに、前記筐体の左右両側のうち少なくともいずれか一方の側に前記筐体から引き出し可能に設置されていることを特徴とするＯＡ機器。
【請求項４】
請求項１〜３のいずれかに記載のＯＡ機器において、
前記ストッカーが前記筐体から引き出されたときに、前記ストッカーが前記筐体から脱落することを防止する脱落防止手段であって、
前記脱落防止手段は、
前記ストッカーに設けられ、
前記筐体から引き出される方向に沿って延設された溝部と、
該溝部の底部に設けられたストッパー孔部と、
前記筐体に設けられ、
前記ストッカーが引き出されるとき前記溝部をなぞり、前記ストッカー孔部が対向する位置に来ると、前記ストッパー孔部と嵌合する突起部と、
を備えることを特徴とするＯＡ機器。
【請求項５】
請求項１〜４のいずれかに記載のＯＡ機器において、
前記ストッカーは、
天井面が開口した箱型に形成されていることを特徴とするＯＡ機器。
【請求項６】
請求項５に記載のＯＡ機器において、
前記ストッカー内は、
前記筐体から引き出される方向に並んで配置された第１収納部と第２収納部が形成され、また、いずれか一方の収納部には、閉じた時に小物や記録媒体紙を載置可能な置台カバーが設置され、
前記置台カバーは、
前記ストッカーが引き出される方向側の端部を支点に開閉可能に構成されていることを特徴とするＯＡ機器。
【請求項７】
請求項１〜４のいずれかに記載のＯＡ機器において、
前記ストッカーは、
親体と、
前記親体内から引き出し可能に設置され、天井面が開口した箱形に形成された子体と
を備えることを特徴とするＯＡ機器。
【請求項８】
請求項７に記載のＯＡ機器において、
前記子体には、
前記ストッカーの引き出し方向の一端側を支点に回動し、前記子体の開口の少なくとも一部を閉じる一対の小カバー部が、前記子体が前記親体内から引き出される方向に並んで配置されていることを特徴とするＯＡ機器。
【請求項９】
請求項８に記載のＯＡ機器において、
前記各カバー部は、
前記子体の開口のうち、前記ストッカーの引き出し側の一部を閉じることを特徴とするＯＡ機器。
【請求項１０】
一つの筐体に、給紙部、排紙部、スキャナ部が設けられ、かつ、前記スキャナ部で記録媒体紙から読み込んだ情報を前記給紙部から給紙された記録媒体紙に記録し、この情報が記録された記録媒体紙を前記排紙部に排紙するコピー機能を少なくとも有するＯＡ機器において、
前記筐体の上方かつ前記筐体に設定された背面側で掲示物を掲示可能な掲示位置から、前記筐体の上端を覆い、小物や記録媒体紙を載置可能な位置まで回動可能な作業台兼掲示板と、
前記掲示位置に位置する前記作業台兼掲示板を固定するとともに、前記作業台兼掲示板を前記筐体に対して回動可能に支持する格納手段と、
を備えることを特徴とするＯＡ機器。
【発明の詳細な説明】
【技術分野】
【０００１】
本発明は、オフィス等で利用されるコピー機能を有するＯＡ機器（複合事務機器）に関する。
【背景技術】
【０００２】
従来より、オフィスでは、コピー機能やスキャナ機能、プリンター機能、ＦＡＸ機能等を備えたＯＡ機器が広く利用されている。
【０００３】
これらのＯＡ機器は、作業者が立った状態でスキャナ部を操作できるようにするため、最上部にスキャナ部が設けられ、その下方に排紙部、さらに下方に給紙部が設けられている構造を採っている（非特許文献）。
【非特許文献１】Ｃａｎｏｎ製、製品名ＩＲ１５００の使用説明書の第１−１６頁
【発明の開示】
【発明が解決しようとする課題】
【０００４】
ところで、従来のＯＡ機器を用いてコピー作業を行う場合、コピー用紙（記録媒体紙）や、コピー作業に必要な備品類（小物）の収納場所や置き場所の必要性が要求されていた。
【０００５】
しかしながら、従来のＯＡ機器の多くは、これらの収納場所や置き場所となる部位を設けていないものが多く、コピー作業を行う場合、コピー用紙や備品類の収納場所や置き場所となる収納具や置き台、机等を別途用意しなければならなかった。
【０００６】
また、ＯＡ機器に、これらの収納場所や置き場所となる部位が設けられていても、これらの部位はＯＡ機器の筐体の外形表面から突出して設けられているため、これらの部位を利用しない場合は不要であり邪魔でもあった。
【０００７】
本発明は、上記の問題点を鑑みて、収納具や置き台等を別途用意しなくても、小物や記録媒体紙の収納場所や置き場所を確保することができ、しかも、収納場所や置き場所が不要な場合は、収納場所や置き場所となる部位が邪魔になることを防止できるＯＡ機器を提供することを目的とする。
【課題を解決するための手段】
【０００８】
本発明は、上記目的を達成するために、一つの筐体に、下方から上方に向かって順に、給紙部、排紙部、スキャナ部が設けられ、かつ、前記スキャナ部で記録媒体紙から読み込んだ情報を前記給紙部から給紙された記録媒体紙に記録し、この情報が記録された記録媒体紙を前記排紙部に排紙するコピー機能を少なくとも有するＯＡ機器において、前記筐体に対し前記排紙部と前記スキャナ部との間に設置されるとともに、前記筐体から引き出し可能に設置され、前記筐体から引き出されたときに、この引き出された部分に小物や記録媒体紙を載置あるいは収納可能なストッカーを備えることを特徴とする。
【０００９】
これによれば、小物等や記録媒体紙を収納あるいは置く場所が必要なときは、ストッカーを筐体から引き出せば、このストッカーの筐体から引き出された部分が小物や記録媒体紙の収納場所や置き場所となる。また、小物等や記録媒体紙を収納あるいは置く場所が不要なときは、ストッカーを筐体内に収納すれば、ストッカーが筐体から突出して邪魔になることはない。
【００１０】
従って、このＯＡ機器を用いると、収納具や置き台、机等を別途用意しなくても、ストッカーを筐体に対して出し入れするだけで、小物や記録媒体紙の収納場所や置き場所を確保することができる。しかも、このＯＡ機器を用いると、収納場所や置き場所が不要な場合、ストッカーを筐体内に押し戻せば、ストッカーすなわち小物や記録媒体紙の収納場所や置き場所となる部位が邪魔になることを防止できる。
【００１１】
また、このＯＡ機器は、ストッカーがスキャナ部のすぐ下方で引き出されるので、スキャナ部を操作している操作者は、立った状態で引き出したストッカーの上に小物や記録媒体紙を収納したり置いたりすることができる。
【００１２】
次に、請求項２に記載したように、本発明のＯＡ機器は、手差しにより記録媒体紙を給紙可能な手差しトレイ（手差し供給部）を備えていてもよいことはもちろんである。
【００１３】
近年の省資源意識の高まりにより、一方の面をコピーに使用したコピー用紙（裏面利用紙）の他方の面を利用してコピーが行われることが多くなってきている。そして、この裏面利用紙を利用してコピーが行われる場合、いずれかの場所に裏面利用紙を積んで置き、この裏面利用紙をＯＡ機器の手差しトレイに手差しでもって復数枚単位で供給しながら、コピーが行われることが多い。この場合、従来は、裏面利用紙を積み上げる置き台や机等を別途用意しなくてはならなかった。
【００１４】
しかし、本発明のＯＡ機器は、筐体内にストッカーを備えているので、このような置き台や机を別途用意しなくても、ストッカー内に裏面利用紙を積み上げておくことができる。
【００１５】
従って、本発明のＯＡ機器を用いると、裏面利用紙を置く置き台や机等を別途用意することなく、ストッカーに積み上げた裏面利用紙を少しずつ手差しトレイに移しながら、裏面利用紙を用いたコピーを行うことができる。
【００１６】
また、従来、裏面利用紙は地面に置かれた段ボール箱の中に積まれていることもあった。この場合、裏面利用紙を手差しトレイに移すため、その積まれた場所から裏面利用紙を取り上げる際、操作者はその都度腰を曲げる必要があった。
【００１７】
しかし、本発明のＯＡ機器は、ストッカーがスキャナ部のすぐ下方に配置されているため、スキャナ部を操作している操作者は、立った状態で引き出したストッカーを操作できる。そのため、操作者は、裏面利用紙を用いたコピー作業を行う際、立った状態でストッカーから裏面利用紙を手差しトレイに移すことができ、また、立った状態でストッカーに対し小物を出し入れすることができる。
【００１８】
次に、請求項３に記載したように、ストッカーは、筐体に設定された正面側から見たときに、筐体の左右両側のうち少なくともいずれか一方の側に筐体から引き出し可能に設置されていることが好ましい。
【００１９】
正面側には操作者が立つことが多く、ＯＡ機器の操作の邪魔になることが多いので、この請求項３に記載のＯＡ機器のように、ストッカーは、筐体の左右両側のうち少なくともいずれか一方の側に筐体から引き出すことができることが好ましい。
【００２０】
尚、ストッカーは、筐体の左右のいずれの側にも筐体から引き出し可能に筐体に設置されていてもよいことはもちろんである。
【００２１】
ＯＡ機器の設置場所によって、左右のいずれかの方向にストッカーを引き出すことができない場合もあるので、このような場合でも、引き出しが可能な側に少なくとも引き出して、ストッカーを利用することができるからである。
【００２２】
次に、請求項４に記載したように、ストッカーが筐体から引き出されたときに、ストッカーが筐体から脱落することを防止する脱落防止手段であって、この脱落防止手段は、ストッカーに設けられ、筐体から引き出される方向に沿って延設された溝部と、この溝部の底部に設けられたストッパー孔部と、筐体に設けられ、ストッカーが引き出されるとき溝部をなぞり、ストッカー孔部が対向する位置に来ると、ストッパー孔部と嵌合する突起部と、を備えることが好ましい。
【００２３】
このようにすると、ストッカー上に裏面利用紙等を載せたときに不意にストッカーがＯＡ機器から脱落して、裏面利用紙等が落下することを防止することができる。
【００２４】
また、このＯＡ機器では、ストッカーを引いたとき、突起部が溝部をなぞるので、ストッカー孔部が突起部に対向する位置にくるようにストッカーを誘導することができる。そして、ストッカー孔部が突起部に対向する位置に来ると、突起部がストッカー孔部に確実に勘合するので、ストッカーが筐体から脱落することが確実に防止される。
【００２５】
尚、ストッカーの引き出し量に応じて脱落を防止するため、ストッパー孔部はその引き出し量に応じた各位置に設けられていてもよい。また、ストッカーが半分引き出されたときに嵌合部が対向する位置にストッパー孔部を設けてもよい。このようにするとストッカーは半分引き出された位置で筐体から脱落しないように保持される。
【００２６】
次に、ストッカーは、板状に形成されていてもよいが、請求項５に記載したように、天井面が開口した箱型に形成されていてもよい。このようにすると、開口からストッカー内に小物や裏面利用紙を収納できるので、ストッカーを引き出しのように利用することができる。
【００２７】
次に、請求項５に記載したように、収納部を天井面が開口した箱形に形成した場合、請求項６に記載したように、ストッカー内に、筐体から引き出される方向に並んで配置された第１収納部と第２収納部を形成し、また、いずれか一方の収納部に、閉じた時に小物や記録媒体紙を載置可能な置台カバーを設置し、この置台カバーを、ストッカーが引き出される方向側の端部を支点に開閉可能に構成するとよい。
【００２８】
このようにすると、作業に必要なものだけを、置台カバーが設けられた収納部から取り出して、置台カバーの上に置き、作業を行うことができる。
【００２９】
次に、請求項７に記載したように、ストッカーは、親体と、この親体内から引き出し可能に設置され、天井面が開口した箱形に形成された子体とを備える構成としてもよい。このようにすると、親体から子体を引き出した分、小物や記録媒体紙を収納あるいは載置する面積が増えるので、ＯＡ機器を操作する手元に、これらを小物や記録媒体紙を収納あるいは載置する場所を効率よく広げることができる。
【００３０】
次に、請求項８に記載したように、子体には、ストッカーの引き出し方向の一端側を支点に回動し、子体の開口の少なくとも一部を閉じる一対の小カバー部が、子体が親体内から引き出される方向に並んで配置されていてもよい。このような小カバー部を備えると、収納スペースと、載置スペースの大きさの比率を臨機に変更することができる。またこの場合、請求項９に記載したように、各カバー部は、子体の開口のうち、ストッカーの引き出し側の一部を閉じるようにすることが好ましい。
【００３１】
次に、請求項１０に記載したように、一つの筐体に、給紙部、排紙部、スキャナ部が設けられ、かつ、前記スキャナ部で記録媒体紙から読み込んだ情報を前記給紙部から給紙された記録媒体紙に記録し、この情報が記録された記録媒体紙を前記排紙部に排紙するコピー機能を少なくとも有するＯＡ機器において、前記筐体の上方かつ前記筐体に設定された背面側で掲示物を掲示可能な掲示位置から、前記筐体の上端を覆い、小物や記録媒体紙を載置可能な位置まで回動可能な作業台兼掲示板と、前記掲示位置に位置する前記作業台兼掲示板を固定するとともに、前記作業台兼掲示板を前記筐体に対して回動可能に支持する格納手段と、
を備えることを特徴とする。
【００３２】
これによれば、小物等や記録媒体紙を収納あるいは置く場所が必要なときは、筐体の上端を覆う位置に作業台兼掲示板を回動させれば、この作業台兼掲示板の上方側の裏面が小物や記録媒体紙の収納場所や置き場所となる。また、小物等や記録媒体紙を収納あるいは置く場所が不要なときは、作業台兼掲示板を掲示位置に回動して格納手段に固定すれば、作業台兼掲示板の上方側の表面は、掲示板ボードとして利用することができる。
【００３３】
従って、このＯＡ機器を用いると、収納具や置き台、机等を別途用意しなくても、作業台兼掲示板を回動するだけで、小物や記録媒体紙の収納場所や置き場所を確保することができる。しかも、このＯＡ機器を用いると、収納場所や置き場所が不要な場合、作業台兼掲示板を回動して格納手段に固定すれば、作業台兼掲示板すなわち小物や記録媒体紙の収納場所や置き場所となる部位が邪魔になることを防止できる。
【００３４】
また、このＯＡ機器は、作業台兼掲示板を掲示位置に固定すると、掲示板として利用できるので、コピー作業中等に掲示物を掲示したい場合に、掲示物を掲示する場所があって便利である。
【発明を実施するための最良の形態】
【００３５】
以下に本発明の実施形態を図面と共に説明する。
【００３６】
［第１実施形態］
ここで、図１は、本実施形態のＯＡ機器の斜視図である。図２は、本実施形態のストッカーの斜視図である。図３は、本実施形態のＯＡ機器の正面図で、（ａ）は、ストッカーを筐体本体内に収納した様子を示し、（ｂ）は、ストッカーを筐体本体の左側に引き出した様子を示し、（ｃ）は、ストッカーを筐体本体の右側に引き出し、置台カバーを閉じた様子を示し、（ｄ）はストッカーを筐体本体の右側に引き出し、置台カバーを開いた様子を示す。
【００３７】
図４は、本実施形態のＯＡ機器の正面図で、（ａ）は、ストッカーを筐体本体の左側に引き出して、第２収納部から裏面利用紙を取り出す様子を示し、（ｂ）は、ストッカーを筐体本体内に収納し、手差しトレイを開いた様子を示し、（ｃ）は、手差しトレイに裏面利用紙を載せた様子を示し、（ｄ）はコピーに利用された裏面利用紙が排紙トレイ上に排紙された様子を示す。
【００３８】
尚、以下では、ＯＡ機器を構成する給紙部、排紙部、スキャナ部、手差しトレイの各構成について説明した後、ＯＡ機器の機能について説明し、その後、ストッカーについて説明する。
【００３９】
（１．ＯＡ機器１の構成）
本実施形態のＯＡ機器１は、コピー機能、スキャナ機能、プリンター機能、ＦＡＸ機能など、複数の機能を有するＯＡ複合機である。
【００４０】
このＯＡ機器１は、図１に示すように、筐体本体１０に、下方から上方に向かって順に、給紙部１１、排紙部１２、ストッカー３、スキャナ部１３が設けられている。また、このＯＡ機器１は、筐体本体１０の左側側面に、手差し給紙部１４が設けられている。
【００４１】
給紙部１１は、上下２段の給紙トレイ１１０を備えている。これら各給紙トレイ１１０には、筐体本体１０の正面側に引き出すことにより、その内部に所定量ずつコピー用紙を貯留することができる。この給紙部１１は、コピー機能やＦＡＸ機能のうち受信機能が利用されるとき、筐体本体１０内に設けられた図示しないプリント部に、複数枚単位にセットされたコピー用紙を一枚ずつ給紙する機能を有する。
【００４２】
排紙部１２は、筐体本体１０の高さ方向の中程よりのやや上部位置に設けられ、筐体本体１０の正面側と右側部分が開口した空洞１２０と、この空洞１２０の輪郭をなす空洞１２０の下面で、筐体本体１０の一部として成形された、左側から右側に向かって右肩上がりの傾斜を形成する排紙トレイ１２１とを有するものである。この排紙部１２では、コピー機能やＦＡＸ機能により、プリント部で情報が記録されたコピー用紙がプリント部から送られてきて排紙トレイ１２１上に排紙され、その排紙されたコピー用紙が空洞１２０内に積み上げられる。
【００４３】
スキャナ部１３は、筐体本体１０の正面側側面の上端から正面側に突出して設けられた操作パネル１３０と、筐体本体１０の背面側を支点に回動可能に筐体本体１０に取り付けられた上蓋１３１とを備えている。上蓋１３１を構成する上蓋筐体１３１ａには、連続スキャンをするときに、スキャンする用紙を載せるスキャントレイ１３１ｂや、スキャンした用紙を排紙するスキャン排紙トレイ１３１ｃ等が形成され、また、上蓋筐体１３１ａ内には、スキャンする用紙をスキャントレイ１３１ｂからスキャン排紙トレイ１３１ｃに送る図示しない紙送機構を備えている。尚、筐体本体１０と上蓋筐体１３１ａが、本発明の筐体に相当する。
【００４４】
このスキャナ部１３は、上蓋１３１を開けて、筐体本体１０の上端面に形成された図示しないスキャン面に対し、文字等の情報が印刷された印刷面が対向するようにコピー用紙を置いて上蓋１３１を閉じ、スキャン機能あるいはコピー機能、あるいはＦＡＸ機能のうち送信機能のスタートを指示する操作を操作パネル１３０に対して行うと、スキャン面上に置かれたコピー用紙に印刷された文字等の情報を読み込む機能が実行される。
【００４５】
また、スキャナ部１３は、スキャントレイ１３１ｂ上に、文字等の情報が印刷されたコピー用紙を置いて、スキャン機能あるいはコピー機能、あるいはＦＡＸ機能のうち送信機能のスタートを指示する操作を操作パネル１３０に対して行った場合、次のような連続スキャン機能が実行される。まず、上蓋筐体１３１ａ内に備えている紙送り機構により、スキャントレイ１３１ｂ上に置かれたコピー用紙を、筐体本体１０の上端面に形成された図示しないスキャン面に一枚ずつ送られる。そして、スキャン面上に送られたコピー用紙に印刷された文字等の情報が一枚ずつ読み込まれる。そして、再び紙送り機構により、この情報が読み込まれたコピー用紙が一枚ずつスキャン排紙トレイ１３１ｃに運ばれて排紙される。
【００４６】
手差し給紙部１４は、後述する図４（ｂ）（ｃ）（ｄ）に示すように、筐体本体１０の左側側面上で、数枚のコピー用紙置くことができる右側から左側に向かって左肩上がりの傾斜を形成する手差しトレイ１４０を備えるものである。この手差しトレイ１４０は、図１に示すように、未使用時には筐体本体１０に対して閉じられる構成となっている。
【００４７】
この手差し給紙部１４は、コピー機能やＦＡＸ機能のうち受信機能が利用されるとき、筐体本体１０内に設けられた図示しないプリント部に、手差しトレイ１４０上に複数枚単位にセットされたコピー用紙を一枚ずつ給紙する機能を有する。
【００４８】
上述した構成の他に、ＯＡ機器１は、給紙部１１の下方には、コピー用紙を一時的に保管する収納ラック１５等を備えている。
【００４９】
（２．ＯＡ機器１の各種機能）
このように構成された本実施形態のＯＡ機器１では、操作パネル１３０を操作して、コピー機能をスタートさせると、スキャナ部１３のスキャン面上に置かれたコピー用紙に印刷された文字等の情報が読み込まれる。また給紙部１１あるいは手差し給紙部１４からコピー用紙がプリント部に給紙され、スキャナ部１３で読み込まれた情報に基づいて文字や記号や図形等がプリント部で印刷される。そしてこの印刷されたコピー用紙が排紙部１２に給紙され、排紙トレイ１２１上に排紙される。尚、連続スキャン機能を用いたコピー機能が実行された場合は、これら一連の動作が、スキャントレイ１３１ｂ上に載置されたコピー用紙がなくなるまで連続して行われる。
【００５０】
また、このＯＡ機器１では、操作パネル１３０を操作して、スキャン機能をスタートさせると、スキャナ部１３のスキャン面上に置かれたコピー用紙に印刷された文字等の情報が読み込まれる。そして、この読み込まれた情報が、ＯＡ機器１が備える図示しないメモリや、このＯＡ機器１と通信可能なコンピュータ等に送信されて記憶される。尚、連続スキャン機能が実行された場合は、連続して読み込まれた情報が、ＯＡ機器１が備える図示しないメモリや、このＯＡ機器１と通信可能なコンピュータ等に一連の情報として送信されて記憶される。
【００５１】
また、このＯＡ機器１では、操作パネル１３０を操作して、ＦＡＸ機能のうち送信機能をスタートさせると、スキャナ部１３のスキャン面上に置かれたコピー用紙に印刷された文字等の情報が読み込まれる。そして、この読み込まれた情報が、電話回線を介して、操作パネル１３０を操作して指定された送信先にＦＡＸ通信用の情報として送信される。尚、連続スキャン機能を用いてＦＡＸ機能が実行された場合は、連続して読み込まれた情報が、一連の情報として、電話回線を介して、操作パネル１３０を操作して指定された送信先にＦＡＸ通信用の情報として送信される。
（３．ストッカー）
次に、本実施形態のＯＡ機器１に備えられたストッカー３について説明する。
【００５２】
ストッカー３は、図１に示すように、スキャナ部１３と排紙部１２との間に設置されている。そして、このストッカー３は、筐体本体１０の右側及び左側のいずれにも筐体本体１０から引き出し可能にスキャナ部１３と排紙部１２との間に設置されている。
【００５３】
次に、このストッカー３の詳細について説明する。
【００５４】
ストッカー３は、図２に示すように、筐体本体１０に対して引き出される引き出し方向に沿って長尺、かつ、天井面と底面が他の側面に対して最も広い箱形に形成され、天井面が開口したストッカー本体３０と、このストッカー本体３０に対して回動可能に固定され、ストッカー本体３０の開口の一部を開閉する置台カバー３１を備えている。
【００５５】
また、ストッカー３は、ストッカー本体３０の内部空間を２分割する仕切板３３を備えている。この仕切板３３により、ストッカー本体の内部空間には、引き出し方向に沿って並んだ第１収納部３０ａと第２収納部３０ｂとが形成されている。このうち第２収納部３０ｂは、通常多く使われるＡ４サイズのコピー用紙を収納可能な大きさに形成される。
【００５６】
置台カバー３１は、この２つの収納部３０ａ、３０ｂのうち第１収納部３０ａの上面を覆い、通常多く使われるＡ４サイズのコピー用紙を載置可能な大きさの載置面３１ａを有している。この置台カバー３１は、第１収納部３０ａを閉じたとき、載置面３１ａがストッカー本体３０の開口面に一致する高さに配置されるように、ストッカー本体３０に取り付けられる。そして、この置台カバー３１は、第１収納部３０ａ内の右側の端部（ストッカー３の引き出し方向に沿った一端側の端部）に設けられたヒンジ部３０ｃを支点にストッカー本体３０に対し回動可能に固定されている。
【００５７】
また、置台カバー３１は、載置面３１ａの遊端側に立上部３１ｂが形成されている。この立上部３１ｂは、この載置面３１ａに対して面の端部を下方に向けて垂直に折り曲げられ形状に形成され、載置面３１ａが第１収納部３０ａを閉じるときに、載置面３１ａの遊端側がストッカー本体３０内に落ち込まないように、載置面３１ａの高さを、ストッカー本体３０の開口面に一致する高さに維持可能な大きさに形成されている。
【００５８】
次に、ストッカー本体３０の底面３０１の周囲側面のうち引き出し方向に沿った両側面３０２には、引き出し方向に沿って溝部３２が形成されている。そして、この溝部３２の底部には、引き出し方向の両端及び中央に、３つのストッカー孔部３２ａが設けられている。
【００５９】
そして、図３（ｂ）（ｃ）に示すように、筐体本体１０に形成されたストッカー３を収納する収納空間を形成する面のうち、この溝部３２が形成された側面に対向する面上には、ストッカー３が筐体本体１０内に収納されているときに引き出し方向の左右の各ストッカー孔部３２ａに嵌合する位置に突起部１０ａが形成されている。
【００６０】
この突起部１０ａを備えることで、ストッカー３が筐体本体１０内に収納されているときは、各突起部１０ａが左右のストッカー孔部３２ａに嵌合して、ストッカー３が不用意に筐体本体１０内から引き出されないように固定している。そして、ストッカー３が引き出されるとき、各突起部１０ａが溝部３２をなぞることで、ストッカー３を上下にぶれさせることなく、ストッカー３を筐体本体１０内から安定的に引き出せるようにしている。
【００６１】
また、この突起部１０ａのうち左側の突起部１０ａは、図３（ｂ）に示すように、ストッカー３の左側半分が筐体本体１０の左側に引き出されたとき、溝部３２内で引き出し方向の中央に設けられたストッカー孔部３２ａと嵌合して、ストッカー３が筐体本体１０から脱落することを防止している。
【００６２】
一方、この突起部１０ａのうち右側の突起部１０ａは、図３（ｃ）に示すように、ストッカー３の右側半分が筐体本体１０の右側に引き出されたとき、溝部３２内で引き出し方向の中央に設けられたストッカー孔部３２ａと嵌合して、ストッカー３が筐体本体１０から脱落することを防止している。
【００６３】
このように構成されたストッカー３は、以下に示すように使用する。
【００６４】
ストッカー３は、未使用時には、図３（ａ）に示すように、筐体本体１０のうち、スキャナ部１３と排紙部１２との間に形成されたストッカー３を収納する収納空間内に収納される。このとき、前述したように、筐体本体１０に設けられた左右の突起部１０ａが左右の各ストッカー孔部３２ａに嵌合して、ストッカー３は、不用意に筐体本体１０内から突出しないように固定されている。
【００６５】
ストッカー３の第２収納部３０ｂ（図２参照）内に、一方の面をコピーに使用したコピー用紙（裏面利用紙）を収納する場合、図３（ｂ）に示すように、第２収納部３０ｂが筐体本体１０の外部に出る位置まで、ストッカー３を筐体本体１０の左側に半分引き出す。そして、引き出されたストッカー３の第２収納部３０ｂ内に裏面利用紙を収納する。このとき、前述したように、筐体本体１０に設けられた左側の突起部１０ａが中央のストッカー孔部３２ａに嵌合して、ストッカー３が、筐体本体１０から脱落しないように固定される。
【００６６】
一方、ストッカー３の上に裏面利用紙を載置して、この載置された裏面利用紙をコピー作業等に利用する場合、図３（ｃ）に示すように、第１収納部３０ａを覆っている置台カバー３１が筐体本体１０の外部に出る位置まで、ストッカー３を筐体本体１０の右側に半分引き出す。そして、置台カバー３１を開くことなく、置台カバー３１の上に裏面利用紙を載置する。このとき、前述したように、筐体本体１０に設けられた左側の突起部１０ａが中央のストッカー孔部３２ａに嵌合して、ストッカー３が、筐体本体１０から脱落しないように固定される。
【００６７】
また、ストッカー３内に、コピー作業の際に利用される小物（ホッチキス、輪ゴム、ゼムグリップ、パンチ、ホッチキス針、糊）等を収納する場合、図３（ｄ）に示すように、置台カバー３１が筐体本体１０の外部に出る位置まで、ストッカー３を筐体本体１０の右側に半分引き出す。そして、置台カバー３１を開き、置台カバー３１で閉じていた第１収納部３０ａ内に小物を収納する。
【００６８】
次に、ストッカー３内に収納された裏面利用紙をコピー作業に利用する手順について説明する。
【００６９】
第１に、図４（ａ）に示すように、ストッカー３を筐体本体１０から左側に向かって引き出す。そして、ストッカー３の第２収納部３０ｂに収納されている裏面利用紙を取り出す。
【００７０】
第２に、図４（ｂ）に示すように、ストッカー３を筐体本体１０内に収納し、手差しトレイ１４０を開く。
【００７１】
第３に、図４（ｃ）に示すように、ストッカー３から取り出した裏面利用紙を、開いた手差しトレイ１４０の上に載置する。
【００７２】
第４に、操作パネル１３０を操作すると、手差しトレイ１４０から順次、筐体本体１０内に設置されたプリント部に送られて印刷が行われ、図４（ｄ）に示すように、印刷が行われた裏面利用紙が、排紙トレイ１２１上に排紙されて積み上げられる。
【００７３】
（４．本実施形態のＯＡ機器の特徴的な作動）
以上説明したＯＡ機器１では、以下のような特徴がある。
【００７４】
このＯＡ機器１では、小物等や裏面利用紙を収納あるいは置く場所が必要なときは、ストッカー３を筐体本体１０から引き出せば、このストッカー３の筐体本体１０から引き出された部分が小物や裏面利用紙の収納場所や置き場所となる。また、小物等や裏面利用紙を収納あるいは置く場所が不要なときは、ストッカー３を筐体本体１０内に収納すれば、ストッカー３が筐体本体１０から突出することなく邪魔になることはない。
【００７５】
従って、このＯＡ機器１を用いると、収納具や置き台、机等を別途用意しなくても、ストッカー３を筐体本体１０に対して出し入れするだけで、小物や裏面利用紙の収納場所や置き場所を確保することができる。しかも、このＯＡ機器１を用いると、収納場所や置き場所が不要な場合、ストッカー３を筐体本体内に押し戻せば、ストッカー３すなわち小物や記録媒体紙の収納場所や置き場所となる部位が邪魔になることを防止できる。
【００７６】
また、このＯＡ機器１は、ストッカー３がスキャナ部１３のすぐ下方に配置されているため、スキャナ部１３を操作している操作者は、立った状態で引き出したストッカー３を操作できる。そのため、操作者は、裏面利用紙を用いたコピー作業を行う際、立った状態でストッカー３から裏面利用紙を手差しトレイ１４０に移すことができ、また、立った状態でストッカー３に対し小物を容易に出し入れすることができる。
【００７７】
また、本実施形態のＯＡ機器１では、ストッカー３を引き出すとき、突起部１０ａが溝部３２をなぞるので、ストッカー孔部３２ａが突起部１０ａに対向する位置にくるようにストッカー３を誘導することができる。そして、ストッカー孔部３２ａが突起部１０ａに対向する位置に来ると、突起部１０ａがストッカー孔部３２ａに確実に勘合するので、ストッカー３が筐体本体１０から脱落することが確実に防止される。
【００７８】
［第２実施形態］
次に、第２実施形態について説明する。
【００７９】
ただし、本実施形態のＯＡ機器１は、第１実施形態のＯＡ機器１に対し一部の構成を加えただけであるので、以下の説明では、この加えられた構成について説明する。
【００８０】
また、同一構成については、第１実施形態で用いられた符号と同じ符号を用いて説明する。
【００８１】
ここで図５は、本実施形態のＯＡ機器の斜視図である。図６は、ＯＡ機器を利用する方法を説明するための説明図で、（ａ）は、作業台兼掲示板を格納ラックに固定したときのＯＡ機器の側面図、（ｂ）は、作業台兼掲示板を格納ラックに固定したときのＯＡ機器の正面図、（ｃ）は、作業台兼掲示板を上蓋上に配置したときのＯＡ機器の側面図、（ｄ）は作業台兼掲示板を格納ラックに固定し、上蓋を開いた様子を示すＯＡ機器の側面図である。
【００８２】
本実施形態のＯＡ機器１は、図５に示すように、筐体本体１０の背面から上方に向かって延設された格納ラック８と、平面上に形成された作業台兼掲示板９とを備えている。
【００８３】
格納ラック８はコ字状に形成された枠体からなり、対向する２辺８０が筐体本体１０の背面の左端及び右端から上方に向かって延設され、残りの１辺８１が対向する２辺の上端を渡すように形成されている。
【００８４】
また格納ラック８の対向する２辺８０のうち右側の辺８０は、筐体本体１０の背面に平行な面と、この面に対し、右端から前方に向かって垂直に折り曲げられた面を有し、左側の辺８０は、筐体本体１０の背面に平行な面と、この面に対し、左端から前方に向かって垂直に折り曲げられた面を有する形状に形成されている。
【００８５】
また、辺８１は、筐体本体１０の背面に平行に形成され、各辺８０のうち筐体本体１０の背面に平行な面と同一面上に配置されるように、各辺８０に一体に取り付けられている。
【００８６】
作業台兼掲示板９は、長方形状に形成されており、格納ラック８に固定されるときは、辺８１と、各辺８０の筐体本体１０の背面に平行な面に板面が当接した状態で、各辺８０の前方に向かって垂直に折り曲げられた面の間に嵌合されて固定される。尚、各辺８０の前方に向かって垂直に折り曲げられた面の上端には、内側に向かって突出した突起部８２が設けられ、作業台兼掲示板９が格納ラック８に固定されるとき、この突起部８２が作業台兼掲示板９に押圧されて作業台兼掲示板９が格納ラック８に確実に固定されるストッパーの役目を果たす。
【００８７】
また、作業台兼掲示板９は、格納ラック８に固定された位置、すなわち、上蓋１３１の上方かつ筐体本体１０に設定された背面側で掲示物を掲示可能な掲示位置に配置されたときの下端を支点に回動可能にヒンジ８３を介して格納ラック８に固定されている。そして、この作業台兼掲示板９は、このヒンジ８３を支点に掲示位置から、ＯＡ機器１本体の上蓋１３１を覆い、小物や裏面利用紙を載置する水平位置まで回動して止まる。
【００８８】
以上のように構成されたＯＡ機器１を用いると、小物等や裏面利用紙を収納あるいは置く場所が必要なときは、図６（ｃ）に示すように、上蓋１３１を覆う位置に作業台兼掲示板９を回動させれば、この作業台兼掲示板９の上方側の面が小物や裏面利用紙の収納場所や置き場所となる。また、小物等や裏面利用紙を収納あるいは置く場所が不要なときは、図６（ａ）（ｂ）に示すように、作業台兼掲示板９を掲示位置に回動して格納ラック８に固定すれば、作業台が上蓋１３１の上端にあって邪魔になることはない。
【００８９】
従って、このＯＡ機器１を用いると、収納具や置き台、机等を別途用意しなくても、作業台兼掲示板９を回動するだけで、小物や裏面利用紙の収納場所や置き場所を確保することができる。しかも、このＯＡ機器１を用いると、収納場所や置き場所が不要な場合、作業台兼掲示板９を回動して格納ラック８に固定すれば、作業台兼掲示板９すなわち小物や裏面利用紙の収納場所や置き場所となる部位が邪魔になることを防止できる。
【００９０】
また、このＯＡ機器１は、図６（ｂ）に示すように、作業台兼掲示板９を掲示位置に固定すると、掲示板として利用できるので、コピー作業中等に掲示物を掲示したい場合に、掲示物を掲示する場所があって便利である。
【００９１】
さらに、このＯＡ機器１は、図６（ｄ）に示すように、スキャナ部を利用するため上蓋１３１を開けるときは、作業台兼掲示板９を格納ラック８に固定しておけば、作業台兼掲示板９が邪魔になることはない。
【００９２】
［第３実施形態］
次に、第３実施形態について説明する。
【００９３】
本実施形態では、ストッカー３の構造が異なるのみで、その他の構造は第１実施形態及び第２実施形態と同一構造なので、ストッカー３についてのみ説明する。
【００９４】
また、同一構成については、第１実施形態で用いられた符号と同じ符号を用いて説明する。
【００９５】
ここで図７は、第３実施形態のストッカー３の斜視図である。
【００９６】
このストッカー３は、図７に示すように、筐体本体１０に対して引き出される引き出し方向に沿って長尺、かつ、天井面と底面が最も広い箱形に形成され、天井面が開口した親体３５及び子体３６を備えている。
【００９７】
このうち親体３５は子体３６を収納可能な大きさに形成され、子体３６は、親体３５の底面３５１の周囲側面のうち、親体３５の筐体本体１０に対する引き出し方向に沿った側面３５２から引き出し可能に構成されている。
【００９８】
また、子体３６は、親体３５内に収納されたとき、子体３６が親体３５から引き出される方向側の子体３６の側面３６０が親体３５の側面３５２の一部となるように収納される。そのため、子体３６の側面３６０には、溝部３２が形成されている。
【００９９】
子体３６には、この子体３６が親体３５から引き出される方向に沿って並んだ一対の小カバー３６ａが設けられている。
【０１００】
各小カバー３６ａは、一つが置台カバー３１の約半分ほどの大きさに形成され、第１収納部３０ａ内の右側の端部（ストッカー３の引き出し方向に沿った一端側の端部）に設けられたヒンジ部３６ｃを支点に子体３６に対し回動可能に固定されている。
【０１０１】
また、各カバー３６ａは、子体３６の内部空間を覆う載置面３６ｂの遊端側に立上部３６ｄが形成されている。この立上部３６ｄは、この載置面３６ｂに対して面の端部を下方に向けて垂直に折り曲げられ形状に形成され、載置面３６ｂが子体３６の収納空間を閉じるときに、載置面３６ｂの遊端側が子体３６内に落ち込まないように、載置面３６ｂが子体３６の開口上に配置される高さを維持可能な大きさに形成されている。
【０１０２】
以上のように構成されたストッカー３を備えるＯＡ機器１を用いると以下のような効果がある。
【０１０３】
このＯＡ機器１では、親体３５から子体３６を引き出した分、小物や裏面利用紙を収納あるいは載置する面積が増えるので、ＯＡ機器１を操作する手元に、これらを小物や裏面利用紙を収納あるいは載置する場所を効率よく広げることができる。
【０１０４】
また、各小カバー部３６ａを開閉することで、小物や裏面利用紙を収納あるいは載置する収納スペースと、載置スペースの大きさの比率を臨機に変更することができる。
【０１０５】
さらに、図５に示すように、第２実施形態のＯＡ機器１のように、ストッカー３を筐体本体１０内に収納したときに、子体３６の溝部３２が設けられた側面に対向する位置に、子体３６を引き出し可能な引き出し孔１０ｂを設けておけば、ストッカー３を筐体に収納した状態で、子体３６を筐体本体１０内から引き出して、子体３６内に収納されたものを正面方向に取り出すことができる。
【０１０６】
（本実施形態の構成と、本発明の構成との対応関係）
本実施形態の格納ラック８が、本発明の格納手段に相当する。
【０１０７】
（その他の実施形態）
上記第１実施形態では、天井面が開口した箱形のストッカー３について説明したが、天井面が閉じられた平板のストッカーでもよい。
【０１０８】
また上記第３実施形態では、親体３５も子体３６も天井面が開口したものを用いたが、天井面が開口していないものを用いてもよい。
【０１０９】
また、上記第３実施形態では、子体３６を親体３５から筐体本体１０の正面側に引き出すものについて説明したが、子体３６を親体３５から左右方向に引き出すように構成してもよい。
【０１１０】
本発明は、特許請求の範囲に記載された発明の趣旨に合致するものであればよく、上述の実施形態に限定されるものではない。
【図面の簡単な説明】
【０１１１】
【図１】第１実施形態のＯＡ機器の斜視図である。
【図２】第１実施形態のストッカーの斜視図である。
【図３】第１実施形態のＯＡ機器の正面図で、（ａ）は、ストッカーを筐体本体内に収納した様子を示し、（ｂ）は、ストッカーを筐体本体の左側に引き出した様子を示し、（ｃ）は、ストッカーを筐体本体の右側に引き出し、置台カバーを閉じた様子を示し、（ｄ）はストッカーを筐体本体の右側に引き出し、置台カバーを開いた様子を示している。
【図４】第１実施形態のＯＡ機器の正面図で、（ａ）は、ストッカーを筐体本体の左側に引き出して、第２収納部から裏面利用紙を取り出す様子を示し、（ｂ）は、ストッカーを筐体本体内に収納し、手差しトレイを開いた様子を示し、（ｃ）は、手差しトレイに裏面利用紙を載せた様子を示し、（ｄ）はコピーに利用された裏面利用紙が排紙トレイ上に排紙された様子を示している。
【図５】第２実施形態のＯＡ機器の斜視図である。
【図６】第２実施形態のＯＡ機器を利用する方法を説明するための説明図で、（ａ）は、作業台兼掲示板を格納ラックに固定したときのＯＡ機器の側面図、（ｂ）は、作業台兼掲示板を格納ラックに固定したときのＯＡ機器の正面図、（ｃ）は、作業台兼掲示板を上蓋上に配置したときのＯＡ機器の側面図、（ｄ）は作業台兼掲示板を格納ラックに固定し、上蓋を開いた様子を示すＯＡ機器の側面図である。
【図７】第３実施形態のストッカー３の斜視図である。
【符号の説明】
【０１１２】
１…ＯＡ機器、３…ストッカー、８…格納ラック、９…作業台兼掲示板、１０…筐体本体、１０ａ…突起部、１０ｂ…引き出し孔、１１…給紙部、１２…排紙部、１３…スキャナ部、１４…手差し給紙部、１５…収納ラック、３０…ストッカー本体、３０ａ…第１収納部、３０ｂ…第２収納部、３０ｃ…ヒンジ部、３１…置台カバー、３１ａ…載置面、３１ｂ…立上部、３２…溝部、３２ａ…ストッカー孔部、３３…仕切板、３５…親体、３６…子体、３６ａ…小カバー、３６ｂ…載置面、３６ｃ…ヒンジ部、３６ｄ…立上部、８２…突起部、８３…ヒンジ、１１０…給紙トレイ、１２０…空洞、１２１…排紙トレイ、１３０…操作パネル、１３１…上蓋、１３１ａ…上蓋筐体、１３１ｂ…スキャントレイ、１３１ｃ…スキャン排紙トレイ、１４０…手差しトレイ
【図１】
2009048215.tif 000003
【図２】
2009048215.tif 000004
【図３】
2009048215.tif 000005
【図４】
2009048215.tif 000006
【図５】
2009048215.tif 000007
【図６】
2009048215.tif 000008
【図７】
2009048215.tif 000009